(57)【要約】  使い勝手を損なうことなく、待機電力の低減化を図ることができないという問題を解決するリモートコントローラーを提供する。  リモコン制御回路（２０３）は、プロジェクタ（１０１）から電力が供給されている場合、操作キー（２０２）への操作に応じたコード信号をプロジェクタに出力し、プロジェクタ（１０１）から電力が供給されていない場合、動作を停止する。また、起動制御部（２０５）は、バッテリー（２０４）から供給される電力で動作し、電源キー（２０１）が操作されると、起動命令をプロジェクタ（１０１）に出力する。
2010109576.tif 000002
【特許請求の範囲】
【請求項１】
プロジェクタと接続されることにより、プロジェクタからの電力供給を受けるリモートコントローラーであって、
電源手段と、
操作手段と、
前記プロジェクタを起動させるための起動操作手段と、
前記プロジェクタからの電力供給を受けている場合、前記操作手段への操作を監視し、前記操作手段への操作が行われると、当該操作に応じた信号を前記プロジェクタに出力し、前記プロジェクタからの電力供給を受けていない場合、監視動作を停止する操作制御手段と、
前記電源手段からの電力供給を受けて、前記起動操作手段への操作を監視し、前記起動操作手段への操作が行われると、起動命令を前記プロジェクタに出力する起動制御手段と、リモートコントローラー。
【請求項２】
請求の範囲第１項に記載のリモートコントローラーにおいて、
前記起動制御手段は、
前記プロジェクタからの電力供給を受けているか否かを検出する検出手段と、
前記検出手段にて前記電力供給を受けていないことが検出されると、前記電源手段からの電力供給を受けて、前記起動操作手段への操作を監視し、前記起動操作手段が操作されると、前記起動命令を前記プロジェクタに出力する起動管理手段と、を有するリモートコントローラー。
【請求項３】
請求の範囲第２項に記載のリモートコントローラーにおいて、
前記電源手段は、前記プロジェクタからの電力供給を受けて充電するリモートコントローラー。
【請求項４】
請求の範囲第１項ないし第３項のいずれか１項に記載のリモートコントローラーと接続することにより、前記リモートコントローラーに電力供給を行うプロジェクタであって、
前記リモートコントローラーから前記起動命令を受け付けた場合、前記プロジェクタを起動する起動手段を有するプロジェクタ。
【発明の詳細な説明】
【技術分野】
【０００１】
本発明は、プロジェクタおよびリモートコントローラーに関し、特には、省電力モードを備えたプロジェクタとそのリモートコントローラーに関する。
【背景技術】
【０００２】
プロジェクタには、そのプロジェクタを制御するリモートコントローラー（以下、リモコンと称する）を有するものがある。【０００３】
リモコンには、プロジェクタとワイヤーで接続され、有線通信でプロジェクタを制御するワイヤードリモコンと、プロジェクタとワイヤーで接続されておらず、赤外線通信などの無線通信でプロジェクタを制御するワイヤレスリモコンとがある。ワイヤードリモコンは、プロジェクタから供給される電力で動作し、ワイヤレスリモコンは、電池を備え、その電池から供給される電力で動作する。【０００４】
特許文献１には、リモコンをプロジェクタと着脱可能にすることで、ワイヤードリモコンとしても、ワイヤレスリモコンとしても利用可能なリモコン送信機が記載されている。【０００５】
このリモコン送信機は、プロジェクタと接続されると、そのプロジェクタから供給される電力で動作する。また、リモコン送信機は、電池を備え、プロジェクタからの電力の供給が停止されると、プロジェクタとの接続が解除されたと判断して、その電池から供給される電力で動作する。【０００６】
また、近年、電気製品の省電力化が要求されている。プロジェクタには、省電力化を図るために、スタンバイモードとパワーセービングモードという二つの省電力モードを備えているものがある。【０００７】
スタンバイモードは、光源を消灯させてプロジェクタの投射動作を停止させることで省電力化を図るモードである。スタンバイモードでは、プロジェクタ本体またはリモコンの電源キーが入力されると、プロジェクタは光源を点灯させて投射動作を開始する。【０００８】
一方、パワーセービングモードは、投射動作だけでなく、ネットワークへの接続などの付加的な動作やワイヤードリモコンへの電力供給なども停止させることで、待機電力を最小限にするモードである。【０００９】
パワーセービングモードでは、ワイヤードリモコンを使用できなくなるため、ワイヤードリモコンを用いてプロジェクタを起動させることができない。よって、プロジェクタを起動させるためには、ワイヤレスリモコンまたはプロジェクタ本体の電源キーが入力されなければならない。ワイヤレスリモコンまたはプロジェクタ本体の電源キーが入力されると、プロジェクタは、付加的な動作やワイヤードリモコンへの電力供給などを開始し、その後、投射動作を開始する。なお、パワーセービングモードとしては、プロジェクタの待機電力を１Ｗ程度にする１Ｗスタンバイモードなどが知られている。
【特許文献１】特開２００１−３４６２６８号公報
【発明の開示】
【発明が解決しようとする課題】
【００１０】
パワーセービングモードでは、ワイヤードリモコンを使用できなくなるため、使い勝手が損なわれる。【００１１】
特許文献１に記載のリモコン送信機は、プロジェクタからの電力の供給が停止されると、内部の電池から供給される電力で動作する。このため、このリモコン送信機は、パワーセービングモードでもプロジェクタを起動させることができる。しかしながら、電池がリモコン送信機の待機電力を消費するため、待機電力の低減化を図ることができない。【００１２】
したがって、使い勝手を損なうことなく、待機電力の低減化を図ることができないという問題があった。【００１３】
本発明の目的は、上記の課題である、使い勝手を損なうことなく、待機電力の低減化を図ることができないという問題を解決するプロジェクタおよびリモートコントローラーを提供することである。
【課題を解決するための手段】
【００１４】
本発明によるリモートコントローラーは、プロジェクタと接続されることにより、プロジェクタからの電力供給を受けるリモートコントローラーであって、電源手段と、操作手段と、前記プロジェクタを起動させるための起動操作手段と、前記プロジェクタからの電力供給を受けている場合、前記操作手段への操作を監視し、前記操作手段への操作が行われると、当該操作に応じた信号を前記プロジェクタに出力し、前記プロジェクタからの電力供給を受けていない場合、監視動作を停止する操作制御手段と、前記電源手段からの電力供給を受けて、前記起動操作手段への操作を監視し、前記起動操作手段への操作が行われると、起動命令を前記プロジェクタに出力する起動制御手段と、を有する。【００１５】
また、本発明によるプロジェクタは、前記リモートコントローラーと接続することにより、前記リモートコントローラーに電力供給を行うプロジェクタであって、前記リモートコントローラーから前記起動命令を受け付けた場合、前記プロジェクタを起動する起動手段を有する。
【発明の効果】
【００１６】
本発明によれば、待機電力の低減化を図りながら、使い勝手を向上させることが可能になる。
【図面の簡単な説明】
【００１７】
【図１】本発明の第一の実施形態のプロジェクタシステムを示したブロック図である。
【図２】リモコンの構成例を示したブロック図である。
【図３】本発明の第二の実施形態におけるリモコンの構成を示したブロック図である。
【図４】本発明の第二の実施形態におけるプロジェクタの構成を示したブロック図である。
【発明を実施するための最良の形態】
【００１８】
以下、本発明の実施形態について図面を参照して説明する。なお、以下の説明では、同じ機能を有する構成には同じ符号を付け、その説明を省略する場合がある。【００１９】
図１は、本発明の第一の実施形態のプロジェクタシステムを示したブロック図である。図１において、プロジェクタシステムは、プロジェクタ１０１とリモコン（リモートコントローラー）１０２とを有する。また、プロジェクタ１０１とリモコン１０２とは、ワイヤー１０３を介して相互に接続可能である。【００２０】
図２は、リモコン１０２の構成を示したブロック図である。【００２１】
図２において、リモコン１０２は、電源キー２０１と、操作キー２０２と、リモートコントローラー制御回路２０３と、バッテリー２０４と、起動制御部２０５とを有する。なお、リモコン１０２とプロジェクタ１０１とを接続するワイヤー１０３には、プロジェクタ１０１からリモコン１０２に電力を供給するための電源線１１０と、リモコン１０２から種々の信号をプロジェクタ１０１に出力するための信号線１１１と、ＧＮＤ（グランド）線１１２とを有する。【００２２】
操作キー２０２は、操作手段の一例である。操作キー２０２は、プロジェクタ１０１を制御するための種々のキーを有する。電源キー２０１は、起動操作手段の一例である。電源キー２０１は、プロジェクタ１０１を起動させるためのキーである。【００２３】
電源キー２０１は、リモートコントローラー制御回路（以下、リモコン制御回路と称する）２０３と、起動制御部２０５とに接続される。また、操作キー２０２は、リモコン制御回路２０３に接続される。【００２４】
リモコン制御回路２０３は、操作制御手段の一例である。リモコン制御回路２０３は、電源線１１０と接続される。【００２５】
電源線１１０を介してプロジェクタ１０１からの電力供給を受けている場合、リモコン制御回路２０３は、その電力で操作キー２０２の監視動作を行う。具体的には、リモコン制御回路２０３は、操作キー２０２への操作を監視し、操作キー２０２への操作が行われると、その操作に応じたコード信号を、信号線１１１を介してプロジェクタ１０１に出力する。【００２６】
また、リモコン制御回路２０３は、プロジェクタ１０１からの電力供給を受けていない場合、その監視動作を停止する。【００２７】
バッテリー２０４は、電源手段の一例である。バッテリー２０４は、起動制御部２０５と接続され、起動制御部２０５に電力供給を行う。【００２８】
起動制御部２０５は、バッテリー２０４からの電力供給を受けて起動監視動作を行う。具体的には、起動制御部２０５は、電源キー２０１への操作を監視し、電源キー２０１への操作が行われると、プロジェクタ１０１を起動させるための起動命令を、信号線１１１を介してプロジェクタ１０１に出力する。【００２９】
次に効果を説明する。【００３０】
本実施形態によれば、プロジェクタ１０１からの電力供給を受けている場合、リモコン制御回路２０３は、操作キー２０２への操作を監視し、操作キー２０２への操作が行われると、その操作に応じたコード信号をプロジェクタに出力する。また、プロジェクタ１０１からの電力供給を受けていない場合、リモコン制御回路２０３は、その監視動作を停止する。また、起動制御部２０５は、バッテリー２０４からの電力供給を受けて、電源キー２０１への操作を監視し、電源キー２０１への操作が行われると、起動命令をプロジェクタ１０１に出力する。【００３１】
このため、プロジェクタ１０１からの電力供給を受けていない場合、リモコン制御回路２０３による操作キー２０１への監視動作が停止される。また、バッテリー２０４からの電力供給を受けて電源キー２０１への操作が監視され、電源キー２０１への操作が行われると、起動命令がプロジェクタ１０１に出力される。【００３２】
よって、プロジェクタ１０１から電力供給を受けていない場合でも、プロジェクタ１０１を起動させることが可能になるので、使い勝手を損なうことがない。また、リモコン制御回路２０３はバッテリー２０４からの電力供給を受ける必要がなくなるため、待機電力の低減化を図ることが可能になる。したがって、使い勝手を損なうことなく、待機電力の低減化を図ることが可能になる。【００３３】
次に第二の実施形態について説明する。【００３４】
図３は、本実施形態におけるリモコン１０２の構成を示したブロック図である。図３において、リモコン１０２は、電源キー２０１と、操作キー２０２と、リモコン制御回路２０３と、バッテリー２０４と、レギュレータ２０６と、検出部２０７と、マイクロコンピューター２０８とを有する。なお、検出部２０７およびマイクロコンピューター（以下、マイコンと称する）２０８は、図２で示した起動制御部２０５を構成する。【００３５】
レギュレータ２０６は、電源線１１０と接続される。レギュレータ２０６は、プロジェクタ１０１から電源線１１０を介して供給された電力を、リモコン制御回路２０３を動作させるための直流電力に変換する。そして、レギュレータ２０６は、その変換した電力をリモコン制御回路２０３およびバッテリー２０４に供給する。なお、プロジェクタ１０１からリモコン制御回路２０３を動作させるための直流電力が供給可能であれば、レギュレータ２０６はなくてもよい。【００３６】
バッテリー２０４は、レギュレータ２０６からの電力供給を受けて充電する。なお、バッテリー２０４は、その充電された電力がリモコン制御回路２０３に逆流されることを防止する機能を有する。【００３７】
検出部２０７は、プロジェクタ１０１からの電力供給を受けているか否かを検出し、その検出結果をマイコン２０８に出力することで、マイコン２０８のオン（動作）とオフ（動作の停止）とを切り替える。具体的には、検出部２０７は、電力供給を受けている場合には、マイコン２０８をオフにし、電力が供給されていない場合には、マイコンをオンにする。【００３８】
マイコン２０８は、起動管理手段の一例である。マイコン２０８は、検出部２０７にて動作をオンにされると、バッテリー２０４からの電力供給を受けて、電源キー２０１への操作を監視し、電源キー２０１が操作されると、起動命令を信号線１１１を介してプロジェクタ１０１に出力する。【００３９】
また、プロジェクタ１０１からの電力供給を受けている場合、リモコン制御回路２０３は、操作キー２０２だけでなく電源キー２０１への操作を監視し、電源キー２０１が操作されると、起動命令を信号線１１１を介してプロジェクタ１０１に出力する。【００４０】
図４は、本実施形態におけるプロジェクタ１０１の構成を示したブロック図である。なお、プロジェクタ１０１は、パワーセービングモードとスタンバイモードと備えている。  図４において、プロジェクタ１０１は、電源部３０１と、レギュレータ３０２と、投射部３０３と、ＣＰＵ３０４とを有する。【００４１】
電源部３０１は、プロジェクタ１０１が、パワーセービングモードである場合と、スタンバイモードである場合と、起動している場合との３つの場合で電力の出力を切り替えることができる。【００４２】
プロジェクタ１０１がスタンバイモードおよび起動している場合、電源部３０１は、レギュレータ３０２および電源線１１０を介して電力をリモコン１０２に供給する。レギュレータ３０２は、リモコン１０２に供給される電力を、リモコンを動作させるための直流電力に変換する。なお、リモコン１０２にレギュレータ２０６が備わっている場合には、レギュレータ３０２はなくてもよい。【００４３】
投射部３０３は、光源ランプ３０３ａと光源ランプ３０３ａを制御するランプ制御部３０３ｂとを有する。【００４４】
ＣＰＵ３０４は、リモコン１０２から信号線１１１を介して起動命令を受け付けると、プロジェクタ１０１を起動させる。具体的には、プロジェクタ１０１がパワーセービングモードの場合、ＣＰＵ３０４は、起動命令を受け付けると、電源部３０１をスタンバイモード時の電力出力に切り替えて、プロジェクタ１０１をスタンバイモードにする。続いて、ＣＰＵ３０４は、電源部３０１をプロジェクタ１０１の起動時の電力出力に切り替え、投射部３０３を駆動して、ランプ制御部３０３ｂに光源ランプ３０３ａを点灯させることで、プロジェクタ１０１を起動する。なお、プロジェクタ１０１がパワーセービングモードの場合に、ＣＰＵ３０４は、起動命令を受け付けると、直ぐにプロジェクタを起動する。【００４５】
次に効果を説明する。【００４６】
本実施形態によれば、検出部２０７は、プロジェクタ１０１からの電力供給を受けているか否かを検出する。マイコン２０８は、検出部２０７にて電力供給を受けていないことが検出されると、バッテリー２０４からの電力供給を受けて電源キー２０１への操作を監視する。【００４７】
この場合、プロジェクタ１０１からリモコン１０２に電力供給が行われていると、バッテリー２０４の電力を使用しなくてもよくなるので、バッテリー２０４の消費電力の低減化を図ることが可能になる。【００４８】
以上説明した各実施形態において、図示した構成は単なる一例であって、本発明はその構成に限定されるものではない。【００４９】
例えば、電源手段としてバッテリー２０４を用いていたが、電源手段は、スーパーキャパシタなどの電力をマイコン２０８に供給できるものであればよい。【００５０】
また、リモコン制御回路２０３とマイコン２０８とを別々に設けていたが、マイコン２０８はリモコン制御回路２０３に含まれていてもよい。この場合、リモコン制御回路２０３内のマイコン２０８以外の回路が操作制御手段となる。【００５１】
また、リモコン１０２をワイヤレスリモコンとしても使用できるように、リモコン１０２に電池を搭載してもよい。この場合、リモコン１０２にプロジェクタ１０１と接続されたか否かを検出する接続検知部を設け、その接続検知部にてプロジェクタ１０１と接続されていないことが検出されると、リモコン制御回路２０３は、その電池からの電力供給を受けて、監視動作を行い、その接続検知部にてプロジェクタ１０１と接続されていることが検出されると、監視動作を停止する。【００５２】
さらに、検出部２０７とマイコン２０８とを別々に設けていたが、マイコン２０８に、プロジェクタから電力が供給されているか否かを検出する検出機能を設けてもよい。
【図１】
2010109576.tif 000003
【図２】
2010109576.tif 000004
【図３】
2010109576.tif 000005
【図４】
2010109576.tif 000006
【国際調査報告】
2010109576.tif 000007
2010109576.tif 000008